(57)【要約】【課題】誤作動を抑制できる、射出成形機の提供。【解決手段】入力操作を受け付ける操作部、および操作画面を表示する表示部を含むタッチパネルと、前記操作部の入力操作に応じた操作画面を前記表示部に表示させる制御部とを備え、前記操作画面は複数の入力部を同一画面上に表示し、前記制御部は、前記複数の入力部が操作されたとき、射出成形機の所定の動作を実行させる信号を出力する、射出成形機。【選択図】図２
2019214212.tif 000002
【特許請求の範囲】
【請求項１】
入力操作を受け付ける操作部、および操作画面を表示する表示部を含むタッチパネルと
、
前記操作部の入力操作に応じた操作画面を前記表示部に表示させる制御部とを備え、
前記操作画面は、射出成形機の複数種類の動作にそれぞれ対応して設けられる複数の動
作入力部と、前記射出成形機の動作を許可する許可入力部と、を同一画面上に表示し、
前記制御部は、前記複数の動作入力部のうちいずれかの動作入力部が操作されるととも
に、同時に前記許可入力部が操作される場合に、操作された前記動作入力部に対応する前
記射出成形機の動作を実行させる実行信号を出力する、射出成形機。
【請求項２】
前記制御部は、予め登録された複数種類の規則から、前記実行信号を出力するための規
則を選択する、請求項１に記載の射出成形機。
【請求項３】
入力操作を受け付ける操作部、および操作画面を表示する表示部を含むタッチパネルと
、
前記操作部の入力操作に応じた操作画面を前記表示部に表示させる表示制御部と、
射出成形機に動作を実行させる実行信号を出力する実行信号出力部と、を備え、
前記操作画面は、前記射出成形機の複数種類の動作にそれぞれ対応して設けられる複数
の動作入力部と、前記射出成形機の動作を許可する許可入力部と、を同一画面上に表示し
、
前記実行信号出力部は、前記複数の動作入力部のうちいずれかの動作入力部が操作され
るとともに、同時に前記許可入力部が操作される場合に、操作された前記動作入力部に対
応する前記射出成形機の動作を実行させる実行信号を出力する、射出成形機のコントロー
ラ。
【発明の詳細な説明】
【技術分野】
【０００１】
本発明は、射出成形機、および射出成形機の操作画面に関する。
【背景技術】
【０００２】
射出成形機は、入力操作を受け付ける操作部、および操作画面を表示する表示部を含む
タッチパネルと、操作部の入力操作に応じた操作画面を表示部に表示させる制御部とを備
える（例えば、特許文献１参照）。
【先行技術文献】
【特許文献】
【０００３】
【特許文献１】特開２００５−１９９５９３号公報
【発明の概要】
【発明が解決しようとする課題】
【０００４】
操作画面の誤操作により、射出成形機が誤作動することがあった。
【０００５】
本発明は、上記課題に鑑みてなされたものであって、誤作動を抑制できる、射出成形機
の提供を主な目的とする。
【課題を解決するための手段】
【０００６】
上記課題を解決するため、本発明の一態様によれば、
入力操作を受け付ける操作部、および操作画面を表示する表示部を含むタッチパネルと
、
前記操作部の入力操作に応じた操作画面を前記表示部に表示させる制御部とを備え、
前記操作画面は複数の入力部を同一画面上に表示し、
前記制御部は、前記複数の入力部が操作されたとき、射出成形機の所定の動作を実行さ
せる信号を出力する、射出成形機が提供される。
【発明の効果】
【０００７】
本発明の一態様によれば、誤作動を抑制できる、射出成形機が提供される。
【図面の簡単な説明】
【０００８】
【図１】本発明の一実施形態による射出成形機の一部を破断して示す図である。
【図２】本発明の一実施形態による操作画面を示す図である。
【発明を実施するための形態】
【０００９】
以下、本発明を実施するための形態について図面を参照して説明するが、各図面におい
て、同一の又は対応する構成については同一の又は対応する符号を付して説明を省略する
。
【００１０】
図１は、本発明の一実施形態による射出成形機の一部を破断して示す図である。図１に
示すように、射出成形機は、フレームＦｒ、型締装置１０、射出装置５０、およびコント
ローラ７０を有する。
【００１１】
型締装置１０は、金型装置３０の型閉、型締、型開を行う。型締装置１０は、例えば、
固定プラテン１２、可動プラテン１３、リヤプラテン１５、タイバー１６、トグル機構２
０、および型締モータ２６を有する。型締装置１０の説明では、型閉時の可動プラテン１
３の移動方向（図１中右方向）を前方とし、型開時の可動プラテン１３の移動方向（図１
中左方向）を後方として説明する。
【００１２】
固定プラテン１２は、フレームＦｒに対して固定される。固定プラテン１２における可
動プラテン１３との対向面に固定金型３２が取り付けられる。
【００１３】
可動プラテン１３は、フレームＦｒ上に敷設されるガイド（例えばガイドレール）１７
に沿って移動自在とされ、固定プラテン１２に対して進退自在とされる。可動プラテン１
３における固定プラテン１２との対向面に可動金型３３が取り付けられる。固定金型３２
と可動金型３３とで金型装置３０が構成される。
【００１４】
固定プラテン１２に対して可動プラテン１３を進退させることにより、金型装置３０の
型閉、型締、型開が行われる。
【００１５】
リヤプラテン１５は、複数本（例えば４本）のタイバー１６を介して固定プラテン１２
と連結され、フレームＦｒ上に型開閉方向に移動自在に載置される。尚、リヤプラテン１
５は、フレームＦｒ上に敷設されるガイドに沿って移動自在とされてもよい。リヤプラテ
ン１５のガイドは、可動プラテン１３のガイド１７と共通のものでもよい。
【００１６】
尚、本実施形態では、固定プラテン１２がフレームＦｒに対して固定され、リヤプラテ
ン１５がフレームＦｒに対して型開閉方向に移動自在とされるが、リヤプラテン１５がフ
レームＦｒに対して固定され、固定プラテン１２がフレームＦｒに対して型開閉方向に移
動自在とされてもよい。
【００１７】
タイバー１６は、型開閉方向に平行とされ、型締力に応じて伸びる。少なくとも１本の
タイバー１６には型締力検出器１８が設けられる。型締力検出器１８は、歪みゲージ式で
あってよく、タイバーの歪みを検出することによって型締力を検出する。
【００１８】
尚、型締力検出器１８は、歪みゲージ式に限定されず、圧電式、容量式、油圧式、電磁
式などでもよく、その取り付け位置もタイバー１６に限定されない。
【００１９】
トグル機構２０は、可動プラテン１３とリヤプラテン１５との間に配設され、可動プラ
テン１３およびリヤプラテン１５にそれぞれ取り付けられる。トグル機構２０が型開閉方
向に伸縮することにより、リヤプラテン１５に対して可動プラテン１３が進退する。
【００２０】
型締モータ２６は、トグル機構２０を介して可動プラテン１３を移動させる。型締モー
タ２６とトグル機構２０との間には、型締モータ２６の回転運動を直線運動に変換してト
グル機構２０に伝達する運動変換部２７としてのボールねじ機構が設けられる。
【００２１】
型締モータ２６が可動プラテン１３を前進させることにより、型閉が行われる。型閉完
了後、型締モータ２６による推進力にトグル倍率を乗じた型締力が生じ、型締力によって
型締が行われる。型締時に可動金型３３と固定金型３２との間にキャビティ空間３４が形
成され、キャビティ空間３４に液状の成形材料が充填される。キャビティ空間３４内の成
形材料は、固化され、成形品となる。その後、型締モータ２６は可動プラテン１３を後退
させることにより、型開が行われる。
【００２２】
射出装置５０は、金型装置３０内に成形材料を充填する。射出装置５０は、シリンダ５
１、スクリュ５２、計量モータ５３、および射出モータ５４を有する。射出装置５０の説
明では、型締装置１０の説明と異なり、充填時のスクリュ５２の移動方向（図１中左方向
）を前方とし、計量時のスクリュ５２の移動方向（図１中右方向）を後方として説明する
。
【００２３】
シリンダ５１は供給口５１ａから供給された成形材料を加熱する。供給口５１ａはシリ
ンダ５１の後部に形成される。シリンダ５１の外周には、ヒータなどの加熱源が設けられ
る。シリンダ５１の前端にはノズル５６が設けられる。
【００２４】
スクリュ５２は、シリンダ５１内において回転自在に且つ進退自在に配設される。
【００２５】
計量モータ５３は、スクリュ５２を回転させることにより、スクリュ５２の螺旋状の溝
に沿って成形材料を前方に送る。成形材料は、前方に送られながら、シリンダ５１からの
熱によって徐々に溶融される。液状の成形材料がスクリュ５２の前方に送られシリンダ５
１の前部に蓄積されるにつれ、スクリュ５２が後退させられる。
【００２６】
射出モータ５４は、スクリュ５２を前進させることにより、スクリュ５２の前方に蓄積
された液状の成形材料を金型装置３０のキャビティ空間３４に充填させる。その後、射出
モータ５４は、スクリュ５２を前方に押し、キャビティ空間３４内の成形材料に圧力をか
ける。ショートやヒケなどによる不足分の成形材料が補充できる。
【００２７】
尚、本実施形態の射出装置は、インライン・スクリュ方式であるが、プリプラ方式でも
よい。プリプラ方式の射出装置は、可塑化シリンダ内で溶融された成形材料を射出シリン
ダに供給し、射出シリンダから金型装置内に成形材料を射出する。可塑化シリンダ内には
スクリュが回転自在にまたは回転自在に且つ進退自在に配設され、射出シリンダ内にはプ
ランジャが進退自在に配設される。
【００２８】
コントローラ７０は、型締装置１０や射出装置５０を制御する。コントローラ７０は、
操作部７１、表示部７２、および制御部７５を有する。操作部７１および表示部７２は一
体に設けられ、操作部７１と表示部７２とでタッチパネル７３が構成される。
【００２９】
操作部７１は、操作者の入力操作を受け付け、操作者の入力操作に応じた操作信号を制
御部７５に出力する。
【００３０】
表示部７２は、制御部７５による制御下で、操作部７１の入力操作に応じた操作画面を
表示する。操作者は、表示部７２で表示される操作画面８０を見ながら、操作部７１を操
作することにより型締装置１０や射出装置５０などの設定を行う。
【００３１】
制御部７５は、メモリなどの記憶部７６およびＣＰＵ（Central Processing Unit）７
７を有し、記憶部７６に記憶される制御プログラムをＣＰＵ７７に実行させることにより
、型締装置１０、射出装置５０、および表示部７２を制御する。
【００３２】
図２は、本発明の一実施形態による操作画面を示す図である。操作画面８０は、動作ス
イッチボタン８１Ａ〜８１Ｄ、および動作許可ボタン８３を同一画面上に有する。射出成
形機の複数種類の動作Ａ〜Ｄに対応して、複数の動作スイッチボタン８１Ａ〜８１Ｄが設
けられる。動作スイッチボタン８１Ａ〜８１Ｄ、および動作許可ボタン８３が特許請求の
範囲に記載の入力部に相当する。制御部７５による動作Ａ〜Ｄの実行処理は同様であるの
で、代表的に動作Ａの実行処理について説明する。尚、動作許可ボタン８３は、複数種類
の動作Ａ〜Ｄのいずれの実行にも必要とされる入力部である。
【００３３】
制御部７５は、操作画面８０に同時に表示される動作スイッチボタン８１Ａと動作許可
ボタン８３の両方が操作される場合に動作Ａを実行させる実行信号を出力し、両方が操作
されるまで実行信号を出力しない。実行信号は型締装置１０または射出装置５０などの装
置に送られ、当該装置は実行信号に従って作動し、動作Ａが実行される。動作Ａの実行に
複数の操作が必要であるため、誤作動が抑制できる。
【００３４】
動作スイッチボタン８１Ａや動作許可ボタン８３などの入力部は、入力部の操作の有無
を表示してよい。制御部７５は、入力部の配色や形状などのデザインを、入力部の操作の
有無に応じて切り替えてよい。制御部７５が入力部の操作の有無をどのように認識してい
るのかが視覚的にわかる。
【００３５】
制御部７５は、動作スイッチボタン８１Ａと動作許可ボタン８３が所定の規則に従って
操作される場合に実行信号を出力し、規則に従わない操作が行われる場合に実行信号を出
力しなくてよい。動作Ａの実行に必要な複数の操作に規則が設けられるため、誤作動がさ
らに抑制できる。実行信号を出力する規則は、記憶部７６に登録されたものを用いる。
【００３６】
実行信号を出力する規則は、例えば操作の順番などを含む。操作の順番としては、例え
ば（１）一方（例えば動作許可ボタン８３）の操作の後に他方（例えば動作スイッチボタ
ン８１Ａ）の操作が行われること、（２）両方の操作が同時に行われること、（３）一方
の操作（例えば動作許可ボタン８３）が先に行われ且つ一方の操作中に他方（例えば動作
スイッチボタン８１Ａ）の操作が行われることなどが挙げられる。上記（２）や上記（３
）の場合、操作画面８０の複数点の同時タッチが必要であるため、信頼度が高い。上記（
３）は、上記（２）よりも制約が多いため、上記（２）よりも信頼度が高い。上記（２）
や上記（３）の場合、複数点のタッチを同時に検出できるマルチタッチパネルが用いられ
る。一方、上記（１）の場合、マルチタッチパネルの他に、１点のタッチを検出するシン
グルタッチパネルが使用可能である。
【００３７】
実行信号を出力する規則は、操作時間を含んでもよく、例えば、一方の操作が他方の操
作よりも長時間行われることなどであってよい。また、実行信号を出力する規則は、操作
の順番と操作時間の両方を含んでもよく、例えば一方の操作開始から所定時間内に他方の
操作が行われることでもよい。実行信号を出力する規則は多種多様であってよい。
【００３８】
実行信号を出力する規則は、複数の段階にレベル分けされてよい。例えば、実行信号を
出力する規則は、誤操作によるリスクの高さに応じてレベル分けされてよい。誤操作によ
るリスクが高いほど、信頼度の高い規則が用いられてよい。
【００３９】
制御部７５は、予め登録された複数種類の規則から、実行信号を出力するための規則を
選択してよい。この選択は、所定の入力操作に従って行われてよく、実行信号の種類毎に
行われてよい。操作者は、実行信号の種類毎に、誤操作によるリスクの高さを入力するこ
とで実行信号を出力するための規則を選択できる。
【００４０】
尚、本実施形態では、１つの動作Ａの実行に、２つの入力部の操作が必要とされるが、
３つ以上の入力部の操作が必要とされてもよい。
【００４１】
また、本実施形態では、複数の入力部の操作について１つの規則が設定されるが、複数
の規則が設定されてもよく、規則毎に異なる実行信号が出力され、規則毎に異なる種類の
動作が行われてよい。入力部の数が低減できる。
【００４２】
以上、射出成形機の実施形態等について説明したが、本発明は上記実施形態等に限定さ
れるものではなく、特許請求の範囲に記載された本発明の要旨の範囲内において、種々の
変形、改良が可能である。
【符号の説明】
【００４３】
１０  型締装置
１２  固定プラテン
１３  可動プラテン
２６  型締モータ
３０  金型装置
３２  固定金型
３３  可動金型
５０  射出装置
７０  コントローラ
７１  操作部
７２  表示部
７３  タッチパネル
７５  制御部
７６  記憶部
７７  ＣＰＵ
８０  操作画面
８１Ａ〜８１Ｄ  操作スイッチボタン
８３  操作許可ボタン
【図１】
2019214212.tif 000003
【図２】
2019214212.tif 000004
【手続補正書】
【提出日】令和1年9月19日(2019.9.19)
【手続補正１】
【補正対象書類名】特許請求の範囲
【補正対象項目名】全文
【補正方法】変更
【補正の内容】
【特許請求の範囲】
【請求項１】
入力操作を受け付ける操作部を操作画面に表示する表示部と、
前記操作部の入力操作に応じた制御を行う制御部とを備え、
前記操作部は、射出成形機の所望の動作を特定するための動作入力部と、前記特定され
た射出成形機の動作を実行させるための許可入力部と、を有し、
前記制御部は、前記動作入力部と前記許可入力部とが操作されると、前記射出成形機の
所定の動作を実行させる、射出成形機。
【請求項２】
前記動作入力部は、前記射出成形機の複数種類の動作にそれぞれ対応して複数設けられ
る、請求項１に記載の射出成形機。
【請求項３】
前記制御部は、前記動作入力部が第１状態から第２状態に変更され、前記許可入力部が
第１状態から第２状態に変更されると、前記射出成形機の所定の動作を実行させる、請求
項１または２に記載の射出成形機。
【請求項４】
前記制御部は、前記動作入力部と前記許可入力部とが同時に操作される場合に、対応す
る前記射出成形機の動作を実行させる、請求項１〜３のいずれか１項に記載の射出成形機
。
【請求項５】
前記制御部は、前記入力部が所定の規則に従って操作される場合に、対応する前記射出
成形機の動作を実行させる、請求項１〜４のいずれか１項に記載の射出成形機。
【手続補正３】
【補正対象書類名】明細書
【補正対象項目名】０００１
【補正方法】変更
【補正の内容】
【０００１】
本発明は、射出成形機に関する。
【手続補正４】
【補正対象書類名】明細書
【補正対象項目名】０００６
【補正方法】変更
【補正の内容】
【０００６】
上記課題を解決するため、本発明の一態様によれば、
入力操作を受け付ける操作部を操作画面に表示する表示部と、
前記操作部の入力操作に応じた制御を行う制御部とを備え、
前記操作部は、射出成形機の所望の動作を特定するための動作入力部と、前記特定され
た射出成形機の動作を実行させるための許可入力部と、を有し、
前記制御部は、前記動作入力部と前記許可入力部とが操作されると、前記射出成形機の
所定の動作を実行させる、射出成形機が提供される。